(57)【要約】      （修正有）【課題】照明光の照射、非照射で異なった絵図を表示し、表示内容にバラエティを持たせ得る投影画像表示装置を提供する。【解決手段】絵図が投影表示されるスクリーン部材１と、絵図として２種類の絵図が表面と裏面とに描かれ、スクリーン部材１の表示面の後方に、表面をスクリーン側に、裏面をスクリーンとは反対側になるように設置された原図シートと、スクリーン部材１に対して原図シートの反対側に設置された照明光源部材とから構成した投影画像表示装置である。照明光源部材がオンの場合は照明光の照射により、原図シートの表面に描かれた絵図と裏面に描かれた絵図とが合体してスクリーンに表示される一方、照明光源部材がオフの場合は、原図シートの表面に描かれた絵図のみがスクリーンから視認可能となり、照明光源部材のオン、オフによりスクリーン部材１上に２種類の異なった絵図を表示できる。【選択図】図１
2016224175.tif 000002
【特許請求の範囲】
【請求項１】
絵図が投影表示されるスクリーン部材と、
下絵として２種類の絵図が表面と裏面とにそれぞれ描かれ、前記スクリーン部材の表示面の後方に、前記表面をスクリーン側に、前記裏面をスクリーンとは反対側になるように設置された原図シートと、
前記スクリーン部材に対して原図シートの反対側に設置された照明光源部材とを備え、
前記照明光源部材がオンの場合は照明光を照射により、原図シートの表面に描かれた絵図と裏面に描かれた絵図とが複合してスクリーンに表示される一方、前記照明光源部材がオフの場合は、原図シートの表面に描かれた絵図のみがスクリーンから視認可能であるようにした投影画像表示装置。
【請求項２】
前記スクリーン部材は光透過性の材料から構成されていることを特徴とする請求項１に記載の投影画像表示装置。
【請求項３】
前記原図シートの裏面に描かれた絵図は反転処理が施されていることを特徴とする請求項１又は２に記載の投影画像表示装置。
【発明の詳細な説明】
【技術分野】
【０００１】
本発明は投影画像表示装置、特に絵図として２種類の絵図が重ねてスクリーンの裏面に設定され、照明光の照射により、前記２種類の絵図が複合してスクリーンに表示されるようにした投影画像表示装置に関するものである。
【背景技術】
【０００２】
従来、例えば壁面や各種照明器具等において、自然の風景や夜空の星、或いは町並みの風景等の絵図や写真（以下絵図で代表させる）をガラスやプラスチック製のスクリーンの表面又は裏面に描いたり、絵図が描かれたフィルム体をスクリーンの裏側に設置しておき、その奥側に照明光源装置を設置して、照明光の照射により、絵図が投影画像としてスクリーンの面に表示されるようにした投影画像表示装置が広く使用されている。
【発明の概要】
【発明が解決しようとする課題】
【０００３】
しかしながら、上述したような従来の投影画像表示装置にあっては、スクリーンに描かれた絵図にしろ、フィルム体に描かれた絵図にしろ、絵図自体は単一種類であり、夜間等において照明光を照射した場合はその絵図が明るく鮮明に表示されるのに対し、昼間等において照明光を照射しない場合はその絵図がやや薄暗く表示されるという違いがあるだけであり、表示される絵図の図柄自体には違いはない。したがって、表示内容に変化、ないしはバラエティを求めることはできないという不具合があった。
【０００４】
本発明は、上述したような事情に鑑みてなされたものであり、その目的は、照明光を照射したときと、照射しないときとで異なった絵図を表示して、表示内容にバラエティを持たせることができる投影画像表示装置を提供することである。
【課題を解決するための手段】
【０００５】
上記目的を達成するために本発明は、投影画像表示装置を、絵図が投影表示されるスクリーン部材と、絵図として２種類の絵図が表面と裏面とに描かれ、前記スクリーン部材の表示面の後方に、前記表面をスクリーン側に、前記裏面をスクリーンとは反対側になるように設置された原図シートと、前記スクリーン部材に対して原図シートの反対側に設置された照明光源部材とから構成したことを要旨とする。この構成によれば、照明光源部材がオンの場合は照明光の照射により、原図シートの表面に描かれた絵図と裏面に描かれた絵図とが複合して（或いは合体して）スクリーンに表示される一方、前記照明光源部材がオフの場合は、原図シートの表面に描かれた絵図のみがスクリーンから視認可能となり、照明光源部材のオン、オフによりスクリーン部材上に２種類の異なった絵図を表示することができる。
【０００６】
上記投影画像表示装置において、スクリーン部材は光透過性の材料から構成されていることを特徴とする。これにより、前記スクリーン部材の表示面の後方に原図シートを設置した場合、照明光を照射しなくても原図シートの表面に描かれた絵図をスクリーンを通して視認することが可能となる。
【０００７】
また、原図シートの裏面に描かれた絵図は反転処理が施されていることを特徴とする。これにより、照明光源部材がオフの場合に原図シートを表側から見た場合、原図シートの裏面に描かれた絵図を目隠しすることが可能となる。
【発明の効果】
【０００８】
本発明は、投影画像表示装置において、絵図として２種類の絵図が表面と裏面とに描かれた原図シートをスクリーン部材の表示面の後方に設置し、照明光の照射又は非照射により絵図をスクリーンに表示するようにしたため、照明光の照射により原図シートの表面に描かれた絵図と裏面に描かれた絵図とを複合、合体してスクリーンに表示する一方、照明光の非照射により原図シートの表面に描かれた絵図のみがスクリーンから視認可能となり、照明光を照射したときと、照射しないときとで異なった絵図を表示して、表示内容にバラエティを持たせることができる。
【図面の簡単な説明】
【０００９】
【図１】本発明の一実施の形態に係る投影画像表示装置の外観正面図である。
【図２】上記実施の形態に係る投影画像表示装置の外観背面図である。
【図３】上記実施の形態における原図シートの表面の一事例を示す図である。
【図４】上記実施の形態における原図シート５の裏面の一事例を示す図である。
【図５】上記実施の形態図に係る投影画像表示装置のスイッチをオン操作したときの正面側の表示態様を示す図である。
【図６】上記実施の形態図に係る投影画像表示装置のスイッチをオン操作したときの背面側の表示態様を示す図である。
【発明を実施するための形態】
【００１０】
次に、図１から図６を用いて本発明の実施の形態および動作を順次詳細に説明する。図１は、本発明の一実施の形態に係る投影画像表示装置の外観正面図であり、図２は同じく上記実施の形態に係る投影画像表示装置の外観背面図である。この実施の形態に係る投影画像表示装置は商品としてのスピーカーに適用された例である。このスピーカーは、外観は照明器具のような構造を有するが、実際には音響製品としてのスピーカーであり、図１の態様では、筒状の筐体１と、筐体１の左右端面２，３部分に配置された発音体としてのスピーカーユニット（図示してない）と、筐体の下側に設置され音響信号の入力及びスピーカーユニットへの出力を制御するコントロールボックス４とから成り、音楽演奏や放送の音響信号を音として出力する、というものである。しかし、以下の説明においては、上述のように投影画像表示装置として説明する。
【００１１】
図１において、筐体１はスクリーン部材を構成する。コントロールボックス４は投影画像表示装置の基台を構成する。スクリーン部材１は円筒構造を有しており、ガラス、或いはプラスチック材料（アクリル等）などの光透過性（透明、或いは半透明）の材料から構成されている。スクリーン部材１の内部、すなわち、スクリーン部材１の表示面の後方にはスクリーン部材１に映し出される絵図媒体となる原図シート５が設置されている。原図シート５は紙、樹脂フィルム、その他適切な材料から成り、通常の状態（光源がオフである）においては表面からは裏面に描かれた図柄が透けて見えないような材料が使われるか、そのような処理が施されている。原図シート５は、その表面と裏面とに下絵として２種類の絵図がそれぞれ描かれている。図３は原図シート５の表面の一事例を示す図であり、図４は原図シート５の裏面の一事例を示す図である。図３において、原図シート５の表面の下半分には、日本家屋の座敷の様子を表す絵図が描かれており、中央部分が開け放たれた障子戸６（６ａ、６ｂ）と、座敷床（タタミ床）７と、座敷床７の上にいる猫８（８ａ、８ｂ）とが表面の図柄となっている。原図シート５の表面の上半分、すなわち、障子戸６ａ、６ｂの上縁枠よりも上方の区域も絵図領域となっており、この事例では上半分の絵図領域には何も描かれていないことにより空白図柄となっている。
【００１２】
図４において、原図シート５の裏面の下半分には、時間的に何年か遡った時代（例えば江戸時代）の日本の家並みの様子を表す絵図が描かれており、図柄として、中央部分にはその時代の大店９が描かれ、大店９の左横には蔵１０が描かれ、蔵１０の左横には第１の民家１１が描かれている。また、上記大店９の右横には第２の民家１２が図柄として描かれている。家並みの描画について、第１の民家１１はそのほぼ中央部分から右側部分は濃くて鮮明な形に描かれる一方、中央部分から左側部分は淡くて幾分ぼやけた態様に描かれている。そして、第１の民家１１よりもさらに左方の第２の民家１２もやはり淡くて幾分ぼやけた態様に描かれている。これは、原図シート５の表面の下半分の絵図との関係によって決められるもので、表面には上述のように障子戸６ａが描かれており、この障子戸６ａに遮られた家々は淡く透けて見えることによる。障子戸６ｂ側についても同様である。また、上記大店９の右横には第３の民家１４が図柄として描かれており、家並みの上方の天空に当たる位置には月１３が描かれている。
【００１３】
この原図シート５の裏面の下半分は、位置的には原図シート５の表面の下半分に対応しており、且つ裏面の下半分の描画はその図柄を隠すために反転処理、すなわち、絵図の中心軸に対して左右反転して描かれている。さらに、原図シート５の裏面の下半分には、図柄の欠落部分１５（１５ａ、１５ｂ）が存在する。具体的には、大店９から第３の民家にかけての部分の欠落部分１５ａと、蔵１０から第１の民家１１にかけての部分の欠落部分１５ｂが存在する。これは、原図シート５の表面の下半分の絵図との関係によって決められるもので、表面には上述のように猫８（８ａ、８ｂ）が描かれており、これらの猫８ａ、８ｂに対応する部分を空白としている。欠落部分１５ａは猫８ａに対応する一方、欠落部分１５ｂは猫８ｂに対応し、左右位置関係が逆であるが、これは上述の反転処理によるものである。
【００１４】
原図シート５の裏面において、符号１６は当該裏面の上半分と下半分の境界線を示す。この境界線１６の上半分には、夜間における町並みとその夜空に映える星を表す絵図が描かれており、図柄として、上縁には複数の家々１７が天地逆の態様で描かれ、家々１７の下側には満天の星１８が描かれている。
【００１５】
以上のような絵図が描かれた原図シート５は円筒状に巻かれ、スクリーン部材１の内部において、当該スクリーン部材１の内周に合わせられて設置される。原図シート５の設置の態様は、円筒状に巻かれるときは表面が外側へ、裏面が内側になるようにされ、且つ上半分と下半分の境界線１６の部位がスクリーン部材１の頂部に来るように設置される。これにより、原図シート５の裏面において上半分の絵図と下半分の絵図が天地逆の態様で描かれていても、スクリーン部材１の内部に設置されたときはいずれの絵図も行下関係が正しくなる。なお、上記原図シート５の上半分の絵図がスクリーン部材１の正面に来るか、下半分の絵図がスクリーン部材１の正面に来るかは特に拘らない。この実施の形態では、原図シート５はその下半分の絵図がスクリーン部材１の正面、上半分の絵図がスクリーン部材１の背面に来るように設置されている（図１及び図２を参照）。
【００１６】
以上のように原図シート５がスクリーン部材１に設置されることにより、原図シート５は、スクリーン部材１の表示面の後方に、表面をスクリーン側に、裏面をスクリーンとは反対側になるように設置されることになる。
【００１７】
本実施の形態において、円筒状のスクリーン部材１の内部ほぼ中心部分、すなわち、スクリーン部材１の表示面に対して原図シートの反対側に当たる部位には照明光源部材（図示してない）が設置される。照明光源部材としては、電球、蛍光灯、或いはＬＥＤが用いられる。図１において符号１９は照明光源部材をオン／オフ動作させるためのスイッチ、２０は照明光源部材の光量を調節するための調整つまみである。
【００１８】
かかる構成を有する投影画像表示装置について、以下、動作を説明する。スイッチ１９をオン操作すると、照明光源部材が点灯し、スクリーン部材１の内部から照明光を照射する。これにより、原図シート５の表面に描かれた絵図と裏面に描かれた絵図とが複合し、或いは合体してスクリーン部材１に表示される。図５は本実施の形態に係る投影画像表示装置のスイッチ１９をオン操作したときの正面側の表示態様を示す。この図に示されるように、照明光が照射されることにより原図シート５の表面の下半分に描かれた絵図である障子戸６及び座敷床７の上にいる猫８と、原図シート５の裏面の下半分に描かれた絵図である家並み９，１０，１１等及び月１３とが合体し、夜の風景を表現している。図６は本実施の形態に係る投影画像表示装置のスイッチ１９をオン操作したときの背面側の表示態様を示す。この図に示されるように、照明光が照射されることにより原図シート５の表面の上半分に描かれた空白の絵図と、原図シート５の裏面の上半分に描かれた絵図である夜間における町並み、家々１７とその夜空に映える満天の星１８を表す絵図がとが合体し、夜空の風景を表現している。
【００１９】
他方、前記照明光源部材がオフの場合は、原図シート５の表面に描かれた絵図のみがスクリーン部材１から視認できる（図１参照）。この場合、原図シート５の表面からは裏面に描かれた図柄が透けて見えないから、照明光を照射したときと、照射しないときとで異なった絵図を表示される。
【００２０】
なお以上の説明では構造が円筒状のスクリーン部材１について説明したが、スクリーン部材については平面状のものであってももちろん良い。
【産業上の利用可能性】
【００２１】
本発明による投影画像表示装置によれば、照明光の照射により原図シートの表面に描かれた絵図と裏面に描かれた絵図とを複合、合体してスクリーンに表示する一方、照明光の非照射により原図シートの表面に描かれた絵図のみがスクリーンから視認可能となり、照明光を照射したときと、照射しないときとで異なった絵図を表示して、表示内容にバラエティを持たせることができる。
【符号の説明】
【００２２】
１  スクリーン部材（筐体）
４  基台（コントロールボックス）
５  原図シート
６  障子戸
７  座敷床
８  猫
９  大店
１０  蔵
１１，１２，１４  民家
１３  月
１５  欠落部分
１６  境界線
１７  家々
１８  星
１９  スイッチ
２０  調整つまみ
【図１】
2016224175.tif 000003
【図２】
2016224175.tif 000004
【図３】
2016224175.tif 000005
【図４】
2016224175.tif 000006
【図５】
2016224175.tif 000007
【図６】
2016224175.tif 000008